(57)【要約】【課題】使用者の目の疲れを精度良く検知し、過度の目の疲れを効果的に防止しうるファインダ装置および光学装置を提供する。【解決手段】  接眼部１８の振動を検出する検出手段２６と、前記検出手段２６からの検出信号から、使用者のまばたきの周期を算出する周期算出手段５８と、前記周期算出手段５８で算出された前記まばたきの周期に基づき、警告信号を発生させる信号発生手段５８と、を有することを特徴とするファインダ装置。【選択図】図４
2008241928.tif 000002
【特許請求の範囲】
【請求項１】
接眼部の振動を検出する検出手段と、
前記検出手段からの検出信号から、使用者のまばたきの周期を算出する周期算出手段と、
前記周期算出手段で算出された前記まばたきの周期に基づき、警告信号を発生させる信号発生手段と、
を有することを特徴とするファインダ装置。
【請求項２】
前記検出手段は加速度センサであり、当該加速度センサは前記接眼部に取り付けられていることを特徴とする請求項１に記載のファインダ装置。
【請求項３】
前記加速度センサは、一方向の振動のみを検出することを特徴とする請求項１または２に記載のファインダ装置。
【請求項４】
前記周期算出手段は、
前記検出信号から手ぶれによる検出信号とまばたきによる検出信号とを区別し、前記まばたきによる検出信号から前記まばたきの周期を算出することを特徴とする請求項１〜３のいずれかに記載のファインダ装置。
【請求項５】
前記信号発生手段は、
前記まばたきの周期を、あらかじめ設定された所定の値と比較し、
比較結果に基づき、前記警告信号を発生させることを特徴とする請求項１〜４のいずれかに記載のファインダ装置。
【請求項６】
請求項１〜５のいずれかに記載のファインダ装置を有する光学装置。
【発明の詳細な説明】
【技術分野】
【０００１】
本発明は、ファインダ装置および光学装置、特に使用者の目の疲れに配慮したファインダ装置および光学装置に関する。
【背景技術】
【０００２】
カメラ等の光学装置に装備されたファインダを、使用者が長時間のぞき続けた場合、使用者の目に負担がかかり、眼精疲労等の原因となることが問題となっている。
【０００３】
ファインダを長時間覗き続けることによって発生する目の疲れを軽減する従来技術としては、例えば特許文献１に示すものがある。特許文献１のような従来技術は、ＬＥＤ光などの光源および受光器を用いることによって使用者の接眼動作を検知し、使用者がファインダを連続して覗き続けている時間を測定することができる。そして、前記測定した時間が所定の時間を超えるとファインダ視野内に警告表示がなされ、使用者に光学装置の使用を中断して目の疲労を回復させることを促すものである。
【０００４】
しかし目の疲れの進行度は、ファインダの表示内容の明るさ（照度）や使用者自身の体調などにも影響を受けるため、従来技術では目の疲れの検知精度が不十分な場合があった。
【特許文献１】特開２００１−３５２４６６号公報
【発明の開示】
【発明が解決しようとする課題】
【０００５】
本発明の目的は、使用者の目の疲れを精度良く検知し、過度の目の疲れを効果的に防止しうるファインダ装置および光学装置を提供することである。
【課題を解決するための手段】
【０００６】
上記目的を達成するために、本発明に係るファインダ装置は、
接眼部（１８）の振動を検出する検出手段（２６）と、
前記検出手段（２６）からの検出信号から、使用者のまばたきの周期を算出する周期算出手段（５８）と、
前記周期算出手段（５８）で算出された前記まばたきの周期に基づき、警告信号を発生させる信号発生手段（５８）と、
を有することを特徴とする。
【０００７】
例えば、本発明に係るファインダ装置において、
前記検出手段は加速度センサであり、当該加速度センサは前記接眼部に取り付けられていても良い。
【０００８】
例えば、本発明に係るファインダ装置において、
前記加速度センサは、一方向の振動のみを検出しても良い。
【０００９】
例えば、本発明に係るファインダ装置において、
前記周期算出手段は、前記検出信号から手ぶれによる検出信号とまばたきによる検出信号とを区別し、前記まばたきによる検出信号から前記まばたきの周期を算出しても良い。
【００１０】
例えば、本発明に係るファインダ装置において、
前記信号発生手段は、前記まばたきの周期を、あらかじめ設定された所定の値と比較し、
比較結果に基づき、前記警告信号を発生させても良い。
【００１１】
本発明に係る光学装置は、上に記載のファインダ装置のうちいずれかのファインダ装置を有する。
【００１２】
なお上述の説明では、本発明をわかりやすく説明するために一実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１３】
以下、本発明を、図面に示す実施形態に基づき説明する。
図１は、本発明の一実施形態に係るカメラ全体を模式的に示した概略断面図、
図２は、図１に示すカメラの接眼部を拡大した要部拡大図、
図３は、本発明の一実施形態に係るカメラの背面図、
図４は、本発明の一実施形態に係るカメラの制御系を表すブロック図、
図５は、本発明の一実施形態に係る加速度センサからの振動信号を表す波形図、
図６は、本発明に係る振動信号から周期を算出する過程を例示した一連の波形図、
図７は、本発明の一実施形態に係るカメラによる目の疲れを防止するための一連の処理を示したフローチャート、
図８は、本発明の一実施形態に係るカメラによる警告表示の一例を表したイメージ図である。
【００１４】
図１は、本発明の一実施形態に係るファインダ装置を有するカメラ全体を模式的に示した概略断面図である。図１に示すように、カメラ２は、カメラボディ４を有し、カメラボディ４の前面には、撮影レンズ６を備えるレンズ鏡筒８が備え付けられている。カメラボディ４の背面には、図３に示すように、背面液晶パネル１２、電子ビューファインダ２０の接眼部１８、ファンクションキー２８および十字キー３０が設けられている。ファンクションキー２８は、背面液晶パネル１２の表示を、撮影モードまたは再生モードに切り替えたり、撮影時のフラッシュの設定を切り替えたりする際に使用するものである。また十字キー３０は、再生モードで背面液晶パネル１２に表示された画像をコマ送りしたり、背面液晶パネル１２に表示されるカーソルを移動させたりする際に使用する。背面液晶パネル１２は、図１に示すように、配線８２を介して接続される液晶パネル制御系５２によって表示画像等を制御される。
【００１５】
カメラボディ４の内部には、撮影レンズ６を通過した被写体光を撮像する撮像素子１０が配設されている。撮像素子１０は、配線８２を介して接続される撮像素子制御系５４によって、画像信号の出力等を制御される。
【００１６】
さらにカメラボディ４の内部には、電子ビューファインダ用液晶パネル１４と、接眼レンズ１６と、接眼部１８とを有する電子ビューファインダ２０が配設されている。本実施形態では、図２に示すように、使用者はカメラ背面の上部に設けられた電子ビューファインダ２０内をのぞき込みながら撮影を行うことができる。電子ビューファインダ用液晶パネル１４は、図１に示すように、背面液晶パネル１２と同様、配線８２を介して接続される液晶パネル制御系５２によって表示画像等を制御される。電子ビューファインダ用液晶パネル１４による表示光は、接眼レンズ１６を介して、使用者の目２２に導かれる。
【００１７】
図２に示すように、接眼部１８には、使用者がファインダ２０内をのぞき込む際に、目周辺の皮膚等の一部を接触させ、目とカメラの相対的位置を安定させるためのアイピース２４が設けられている。さらにアイピース２４の内部には、アイピース２４に伝わる振動を検出する加速度センサ２６が配設されている。本実施形態に係るカメラでは、図３に示すように、加速度センサ２６はアイピース２４の内部表面に配設されている。加速度センサ２６を配設する場所としては、接眼部１８であれば特に限定されないが、目周辺の皮膚が接触するアイピース２４のような部材の内部又は外部表面上に設置されることが望ましい。本実施形態における加速度センサ２６は、図２における上下方向Ｚの振動のみを検出する１軸型の加速度センサを採用しているが、３軸型の加速度センサであっても良い。なお、１軸型の加速度センサの場合における上下方向Ｚは、使用者の目２２のまばたきの向きと一致している。
【００１８】
図２に示すように、加速度センサ２６は、配線８２を介して接続される加速度センサ制御系５６によって制御される。加速度センサ制御系５６は、手振れ防振用等としてカメラ２に配設された他の加速度センサの制御系として併用されていても良い。
【００１９】
図４は本実施形態に係るカメラ２の制御系を表すブロック図である。撮像素子制御系５４は、撮像素子１０で得られる画像信号を、液晶パネル制御系５２に送ることができる。液晶パネル制御系５２は、得られた画像信号をもとに、背面液晶パネル１２および電子ビューファインダ用液晶パネル１４に画像を出力することができる。
【００２０】
一方、加速度センサ制御系５６は、加速度センサ２６で得られた振動信号を、信号解析判断系５８に送ることができる。信号解析判断系５８では、振動信号から使用者のまばたきの周期を算出した後、算出したまばたきの周期に基づいて液晶パネル制御系５２に警告信号を送ることができる。液晶パネル制御系５２は、信号解析判断系５８からの警告信号を受けた場合、電子ビューファインダ１４等に所定の警告を表示させることができる。
【００２１】
図５は、加速度センサ２６によって検出された振動信号の一例を表している。図５に示すように、加速度センサ２６から得られる振動信号は、通常まばたきによる振動信号ｗ２以外にも、手振れによる振動信号ｗ１等の、まばたき以外の原因による振動信号を含んでいる場合が多い。
【００２２】
本実施形態に係る信号解析判断系５８では、第１段階の処理として、加速度センサ制御系５６から送られてきた振動信号から、手振れによる振動信号ｗ１とまばたきによる振動信号ｗ２とを区別する。図５に示すように、まばたきによる振動信号ｗ２の振幅ｆ２は、手振れによる振動信号ｗ１の振幅ｆ１に対して明瞭に区別される程度に小さい。
【００２３】
また、まばたきによる振動信号ｗ２の振動周期ｔ２は、手振れによる振動信号ｗ２の振動周期ｔ１に対して明瞭に区別される程度に小さい。したがって、信号解析判断系５８は、振動信号の振幅および振動周期を解析することにより、加速度センサから得られる振動信号から、まばたきによる振動信号ｗ２を得ることができる。
【００２４】
本実施形態に係る信号解析判断系５８では、第２段階の処理として、まばたきによる振動信号ｗ２から、まばたきの周期を算出する。図６（Ａ）は、目が疲れていない使用者のまばたきによる振動信号の一例である。本実施形態では、振動信号ｗ２の間隔Ｔ０およびＴ１を、それぞれの区間におけるまばたきの周期Ｔとしている。
【００２５】
図６（Ｂ）は、目が疲れていない使用者のまばたきによる振動信号の他の一例である。図６（Ｂ）のｎ１〜ｎ３で示されるまばたき振動のように、使用者はひとかたまりに数回のまばたきを行う場合がある。この場合も、振動信号ｗ２の間隔Ｔ０、Ｔ１、Ｔｎ１２およびＴｎ２３をそれぞれの区間におけるまばたきの周期Ｔとすることができる。
【００２６】
図６（Ｃ）は、目が疲れている使用者のまばたきによる振動信号の一例である。特に振動信号前半におけるまばたきの間隔Ｔ２、Ｔ３が、目が疲れていない場合の間隔Ｔ０およびＴ１（例えば５〜１０秒）より長くなっているのがわかる。本実施形態では、間隔Ｔ２、Ｔ３、Ｔｎ１２が、それぞれの区間におけるまばたきの周期Ｔとなる。
【００２７】
さらに本実施形態に係る信号解析判断系５８では、第３段階の処理として、所定の値Ｔｏｋ（例えば３０秒）と、算出されたまばたきの周期Ｔを比較し、まばたきの周期Ｔが所定の値Ｔｏｋを上回る場合には、液晶パネル制御系に対して警告信号を送る。なお、所定の値Ｔｏｋは、３０秒に限らず、自由に設定可能である。
【００２８】
図７は、本発明の一実施形態に係るカメラによる目の疲れを防止するための一連の処理を示したフローチャートである。
【００２９】
まず、加速度センサ２６の振動信号を、加速度センサ制御系５６を介して読み取る（ステップＳ１）。読み取られた振動信号は、信号解析判断系５８にて手振れ振動信号とまばたき振動信号に区別される（ステップＳ２）。手振れ振動信号とまばたき振動信号は、例えば図５に関連して説明したように、各振動信号の振幅および／または振動周期によって区別される。
【００３０】
次に信号解析判断系５８において、読み取られた振動信号から区別されたまばたき信号を基に、使用者のまばたきの周期を算出する（ステップＳ３）。まばたきの周期の算出は、例えば図６に関連して説明したように、まばたきによる振動信号の間隔から算出される。
【００３１】
そして信号解析判断系５８において、算出されたまばたきの周期Ｔを、あらかじめ設定された所定の値Ｔｏｋと比較する（ステップＳ４）。前記比較の結果、まばたきの周期Ｔが所定の値Ｔｏｋと同等以下の場合は一連の処理を終了させるが、まばたきの周期Ｔが所定の値Ｔｏｋを上回る場合は、警告信号を発生し、液晶パネル制御系５２等に警告動作を行わせる（ステップＳ５）。
【００３２】
すなわち本実施形態において所定の値Ｔｏｋは、目が疲れていない場合のまばたきの間隔Ｔ０、Ｔ１より長く、目が疲れている場合のまばたきの間隔Ｔ２、Ｔ３より短い時間（例えば３０秒）に設定されている。したがって本実施形態のカメラ２は、加速度センサ２６が図６（Ｃ）に示すような目が疲れている際のまばたきの振動信号を検出した際に、液晶パネル制御系５２等に警告動作を行わせることができる。
【００３３】
なお、本実施形態では、ステップＳ４において、計測されたまばたきの周期Ｔを、逐次、Ｔｏｋと比較している。すなわち、図６（Ａ）〜図６（Ｃ）に示す全てのまばたきの間隔Ｔ０、Ｔ１、Ｔ２、Ｔ３、Ｔｎ１２、Ｔｎ２３をＴｏｋと比較している。その際に、使用者がひとかたまりに数回のまばたきを行うときのまばたきの間隔Ｔｎ１２、Ｔｎ２３などは、無視しても良い。
【００３４】
警告動作としては、信号解析判断系５８からの警告信号を受け取った液晶パネル制御系５２が、図８に示すような警告マーク３２およびコメント３３を、電子ビューファインダ用液晶パネル１４に表示させても良い。また他の警告動作としては、信号解析判断系５８からの警告信号をカメラ内に内蔵されたスピーカー等に送ることによって、警告音を発生させても良い。
【００３５】
カメラの使用者は、警告表示や警告音によって、自己の目の疲れを認識することができるため、ファインダをのぞき込むことを一時中断する等の適切な行為を行うことにより目の疲れを回復させ、過度の目の疲れを防止することができる。
【００３６】
本実施形態に係るカメラの使用者は、警告表示や警告音によって自己の目の疲れを認識することができるため、ファインダをのぞき込むことを一時中断するなどして、過度の目の疲れを効果的に防止することができる。
【００３７】
すなわち本実施形態に係るカメラは、使用者のまばたきの周期に基づいて目の疲れを判断することができるため、ファインダをのぞき込む時間に基づいて目の疲れを判断する従来技術に比べて、より精度良く目の疲れを検出することができる。さらに、本実施形態に係るカメラは、精度良く判断された結果を基に警告動作を行うことで、使用者に対して目の疲れを認識させることができる。したがって本実施形態に係るカメラは、目が疲れた使用者に対して、目の疲れを回復させるための適切な動作を促し、ファインダをのぞき込むことによって使用者の目の疲れが過度に進行することを効果的に防止することができる。
【００３８】
また本実施形態に係るカメラは、カメラに従来から使用されている手振れ防止用加速度センサおよび／または加速度センサ制御系を、前記目の疲れの検出に流用できるので、その場合は新規光学デバイスの追加を抑制することができる。したがって、目の疲れを防止する機能を有しつつも、シンプルで安価なカメラを実現することができる。
【００３９】
上述した実施形態では、本発明の一実施形態に係るファインダ装置をカメラに適用したが、スチルカメラに限らずビデオカメラ、顕微鏡、双眼鏡等のその他の光学装置にも適用できる。また、上述した実施形態では、検出手段として加速度センサを使用しているが、その他の振動を検出する装置を使用することもできる。
【図面の簡単な説明】
【００４０】
【図１】図１は、本発明の一実施形態に係るカメラ全体を模式的に示した概略断面図である。
【図２】図２は、図１に示すカメラの接眼部を拡大した要部拡大図である。
【図３】図３は、本発明の一実施形態に係るカメラの背面図である。
【図４】本発明の一実施形態に係るカメラの制御系を表すブロック図である。
【図５】図５は、本発明の一実施形態に係る加速度センサからの振動信号を表す波形図である。
【図６】図６は、本発明の一実施形態に係る振動信号から周期を算出する過程を示した一連の波形図である。
【図７】図７は、本発明の一実施形態に係るカメラによる目の疲れを防止するための一連の処理を示したフローチャートである。
【図８】図８は、本発明の一実施形態に係るカメラによる警告表示の一例を表したイメージ図である。
【符号の説明】
【００４１】
２…  カメラ
１４…  電子ビューファインダ用液晶パネル
２０…  電子ビューファインダ
２４…  アイピース
２６…  加速度センサ
５６…  加速度センサ制御系
５８…  信号解析判断系
【図１】
2008241928.tif 000003
【図２】
2008241928.tif 000004
【図３】
2008241928.tif 000005
【図４】
2008241928.tif 000006
【図５】
2008241928.tif 000007
【図６】
2008241928.tif 000008
【図７】
2008241928.tif 000009
【図８】
2008241928.tif 000010